(57)【要約】【課題】レンズを容易に着脱することができ、また凸側および凹側光学面を連続的にコーティングすることができるレンズ保持用治具を提供する。【解決手段】載置プレート３上に載置されたレンズ２０の周囲を取り囲む環状体２２に、前記レンズ２０の縁面を保持する少なくとも３つのレンズ保持手段４０と、各レンズ保持手段４０を環状体２２にそれぞれ固定する複数のボルト４５とを設ける。レンズ保持手段４０は、横向きＴ字状に形成されることにより環状体２２の挿通孔２９を進退自在にかつ回転を防止されて貫通する支持ロッド４１と、この支持ロッド４１の前端にこれと直交するように垂直に設けられ、レンズ２０の縁面を線接触または面接触した状態で押圧する押圧ロッド４２とを有する。押圧ロッド４２の表面には、軟質材によって形成されたキャップ５６が被冠されている。【選択図】  図２
2009294399.tif 000002
【特許請求の範囲】
【請求項１】
載置プレート上に設置されたレンズの周囲を取り囲む環状体と、
前記環状体に周方向に等間隔おいて配設され、前記レンズの縁面を保持する少なくとも３つのレンズ保持手段と、
前記各レンズ保持手段を前記環状体にそれぞれ固定する複数の固定手段とを備え、
前記環状体は、内周面と外周面に開口し周方向に等間隔おいて放射状に形成された前記レンズ保持手段と同数の挿通孔を有し、
前記レンズ保持手段は、前記環状体の挿通孔を進退自在にかつ回転を防止されて貫通する支持ロッドと、この支持ロッドの前端にこれと直交するように設けられ、前記レンズの縁面を押圧する押圧ロッドとで構成されることにより、側面視横向きのＴ字状またはＬ字状に形成され、
前記押圧ロッドは、表面が軟質材によって覆われ、レンズ押圧部が前記レンズの縁面に対して線接触または面接触することを特徴とするレンズ保持用治具。
【請求項２】
請求項１記載のレンズ保持用治具において、
前記レンズ押圧部は、支持ロッドの軸線の延長上の部位であることを特徴とするレンズ保持用治具。
【請求項３】
請求項１または２記載のレンズ保持用治具において、
前記環状体の内周面に、コーティング溶液のレンズ方向への跳ね返りを防止する跳ね返り防止部を設けたことを特徴とするレンズ保持用治具。
【請求項４】
請求項３記載のレンズ保持用治具において、
前記跳ね返り防止部が斜面であることを特徴とするレンズ保持用治具。
【請求項５】
請求項１〜４のうちのいずれか一項記載のレンズ保持用治具を用いてレンズの外周を保持する工程と、
前記レンズ保持用治具に保持されたレンズの被コーティング面にコーティング溶液を塗布する工程と、
前記レンズの被コーティング面に塗布されたコーティング溶液を加熱し硬化させる工程と、
を備えたことを特徴とするレンズのコーティング方法。
【発明の詳細な説明】
【技術分野】
【０００１】
本発明は、レンズ保持用治具に関し、特に眼鏡レンズの光学面にコーティング溶液をスピンコーティングする際に用いて好適なレンズ保持用治具およびレンズのコーティング方法に関するものである。
【背景技術】
【０００２】
従来、眼鏡レンズ等のレンズを保持するレンズ保持用治具としては、例えば特許文献１〜４等に記載されている各種の治具が知られている。
【０００３】
特許文献１に記載されている光学素子保持装置は、光学素子の外周面に３箇所の位置から当接して光学素子を保持する３つの保持部を備え、これらの保持部のうちの１つを、光学素子を着脱させるためその外周面に対して接触離間する可動式としている。
【０００４】
特許文献２に記載されている光学素子保持装置は、光学素子の外周面に形成した被保持部を保持部によって３点以上で保持するようにしている。光学素子の被保持部は、Ｖ溝またはＵ溝からなり、光学素子保持装置の保持部は、係止用突起または突状によって構成されている。
【０００５】
特許文献３に記載されているレンズ保持治具は、レンズの左右両側縁を保持する一対の側方保持部と、レンズの下側端縁を保持する１つの下側保持部とを有し、一対の側方保持部のうち少なくとも一つに、レンズの縁面を保持するＶ字状の保持部と、このＶ字状保持部を支持しレンズの端縁（以下、縁面ともいう）に沿って前記Ｖ字状保持部から下方に延伸する上下延伸部とを設け、この上下延伸部をレンズの縁面に当接するかまたは接近させている。
【０００６】
特許文献４には、レンズの外周を３つのレンズホルダによって１２０°ピッチで固定する技術が開示している。レンズホルダは、ホルダ本体、ローラおよびローラ支持部を備え、レンズホルダをレンズに固定するときには、取付用治具および固定用治具を用いて行うようにしている。すなわち、先ず３つのレンズホルダを取付用治具に位置決めして設置し、その上にレンズを載せる。さらに、取付用治具の上側に固定用治具を載せて、ホルダ本体のローラが設けられている側の側面を、固定用治具の内周面に当接させる。これによりレンズホルダは、径方向の位置が位置決めされ、レンズの外周面とホルダ本体の外周当接部との間に若干の隙間を形成する。そして、この隙間に接着剤を充填してレンズとレンズホルダとを固定する。
【０００７】
【特許文献１】特開平０７−２３９４３３号公報
【特許文献２】特開平０７−３１８７７４号公報
【特許文献３】特開２００４−２６８０１３号公報
【特許文献４】特開２００７−２４８８７２号公報
【発明の開示】
【発明が解決しようとする課題】
【０００８】
しかしながら、特許文献１に記載されている光学素子保持装置は、可動式の保持部を円錐形に形成してその周面を光学素子に接触させ、この保持部を軸線方向に付勢するスプリングによって光学素子に対する押圧力を得るようにしているため、スピンコーティング時の高速回転に耐え得る大きな押圧力を得ることが難しく、ばね力を大きくして大きな押圧力を得ようとすると保持部が撓むという問題があった。
【０００９】
特許文献２に記載されている光学素子保持装置は、光学素子にＶ字状またはＵ字状の溝を形成する必要があるため、その加工が面倒で光学素子の製造コストが高くなる。また、メッツ加工（薄型加工）されたコバ厚の薄い光学素子に対して適用することができないという問題もあった。
【００１０】
特許文献３に記載されているレンズ保持治具は、細い線材の折曲加工によって形成され、ハードコート等の溶液中にレンズを浸漬してコーティングする際に用いられる治具であるため、レンズに対する保持力が弱く、スピンコーティング装置に用いる治具としては不適である。
【００１１】
特許文献４に記載されているレンズホルダは、接着剤を用いてレンズを固定しているので、接着剤によってレンズを汚したりするおそれがあり、スピンコーティングする場合には不適である。また、径の異なるレンズに対しては、その都度レンズに適合する径の治具とレンズホルダを用意しなければならず、このため、治具の種類が増加し、その管理が煩わしいという問題もあった。
【００１２】
本発明は上記した従来の問題を解決するためになされたもので、その目的とするところは、レンズを容易に着脱することができ、また凸側および凹側光学面を連続的にコーティングすることができるレンズ保持用治具およびレンズのコーティング方法を提供することにある。
【課題を解決するための手段】
【００１３】
上記目的を達成するために本発明に係るレンズ保持用治具は、載置プレート上に設置されたレンズの周囲を取り囲む環状の環状体と、前記環状体に周方向に等間隔おいて配設され、前記レンズの縁面を保持する少なくとも３つのレンズ保持手段と、前記各レンズ保持手段を前記環状体にそれぞれ固定する複数の固定手段とを備え、前記環状体は、内周面と外周面に開口し周方向に等間隔おいて放射状に形成された前記レンズ保持手段と同数の挿通孔を有し、前記レンズ保持手段は、前記環状体の挿通孔を進退自在にかつ回転を防止されて貫通する支持ロッドと、この支持ロッドの前端にこれと直交するように設けられ、前記レンズの縁面を押圧する押圧ロッドとで構成されることにより、側面視横向きのＴ字状またはＬ字状に形成され、前記押圧ロッドは、表面が軟質材によって覆われ、レンズ押圧部が前記レンズの縁面に対して線接触または面接触するものである。
【００１４】
また、本発明は、上記発明に係るレンズ保持用治具において、前記レンズ押圧部を支持ロッドの軸線の延長上の部位としたものである。
【００１５】
また、本発明は、上記発明に係るレンズ保持用治具において、前記環状体の内周面にコーティング溶液のレンズ方向への跳ね返りを防止する跳ね返り防止部を設けたものである。
【００１６】
また、本発明は、上記発明に係るレンズ保持用治具において、前記跳ね返り防止部を斜面で構成したものである。
【００１７】
さらに、本発明は、上記発明に係るレンズ保持用治具を用いてレンズの外周を保持する工程と、前記レンズ保持用治具に保持されたレンズの被コーティング面にコーティング溶液を塗布する工程と、前記レンズの被コーティング面に塗布されたコーティング溶液を加熱し硬化させる工程とを備えたものである。
【発明の効果】
【００１８】
本発明によるレンズ保持用治具においては、押圧ロッドがレンズの縁面に線接触または面接触して押圧するので、レンズを安定した状態で保持することができる。また、押圧ロッドは、支持ロッドに対して垂直に取付けられ、レンズ押圧部が光学面に接触しないので、一方の光学面をコーティングした後、反転させることにより他方の光学面を連続的にコーティングすることができる。また、レンズの縁面を押圧したとき、押圧ロッドが支持ロッドに対して傾いたりすることがなく、レンズを安定した状態で保持することができる。また、押圧ロッドの表面を軟質材によって覆っているので、レンズを傷つけるおそれがない。また、レンズ保持手段をレンズの外径に応じて進退させることにより、外径の異なる各種のレンズに対して適用することができる。さらに、固定手段によってレンズ保持手段を環状体に固定するようにしているので、スピンコートの高速回転（３０００〜５０００回転）にも十分に耐え得るレンズ把持性能を確保することができる。固定手段としては、止めねじ、ボルト、クランプ装置等の適宜な手段を用いることができる。
【００１９】
また、本発明においては、環状体の内周面にコーティング溶液の跳ね返りを防止する跳ね返り防止部を設けているで、跳ね返り溶液による不良品の発生を低減することができる。跳ね返り防止部としては、レンズ表面から遠心力によって飛散したコーティング溶液が当たったとき、斜め下方または斜め上方でかつレンズ方向とは反対方向に反射させる斜面（テーパ面）が用いられる。
【００２０】
さらに、本発明によるコーティング方法によれば、上記のレンズ保持用治具を用いているので、良好にコーティングを行うことができる。
【発明を実施するための最良の形態】
【００２１】
以下、本発明を図面に示す実施の形態に基づいて詳細に説明する。
図１は本発明に係るレンズ保持用治具とその治具組付装置の一実施の形態を示す外観斜視図、図２は図１のII−II線断面図、図３はレンズを載置プレート上に載置した状態を示す外観斜視図、図４はレンズ保持手段によってレンズを保持した状態を示す外観斜視図、図５はレンズ保持用治具を取り除いた治具組付装置の外観斜視図、図６はレンズ保持手段の分解斜視図、図７（ａ）、（ｂ）はクランプ装置のクランプ前の状態を示す断面図およびクランプ後の状態を示す断面図である。これらの図において、治具組付装置１は、ベースプレート２の上方に上下動可能に設けられた載置プレート３を備え、この載置プレート３上にレンズ保持用治具２１が設置されている。
【００２２】
前記ベースプレート２の上面には、前記載置プレート３を上下動自在に支持する３本の支持ピン４が同一円周上に、かつ周方向に等間隔おいて突設されている。これらの支持ピン４の上端部は、載置プレート３の外周寄りに形成した貫通孔５および前記レンズ保持用治具２１の後述する環状体２２の挿通孔２７を貫通して環状体２２の上方に延在し、下端部には載置プレート３を上方に付勢する圧縮コイルばね７がそれぞれ弾装されている。前記貫通孔５には、支持ピン４を軸支する軸受部材６が圧入固定されている。前記圧縮コイルばね７の上端は前記軸受部材６の下面に圧接され、下端が前記ベースプレート２の上面に圧接されている。
【００２３】
前記ベースプレート２の上面には、さらに前記載置プレート３を前記支持ピン４に対して固定する３つのクランプ装置１０が設けられている。クランプ装置１０は、図２および図７に示すように、前記載置プレート３の外側に位置してベースプレート２上に立設された支柱１１と、この支柱１１の上端部に上下動可能に取付けられたクランプ部材１２と、このクランプ部材１２を支柱１１に固定する固定用ねじ１３とで構成されている。支柱１１の上端部には、前記固定用ねじ１３がねじ込まれるねじ孔１４が形成されている。クランプ部材１２は、略直方体のブロックからなり、上下方向に開口し前記支柱１１が貫通する貫通孔１５と、前端面１２ａに形成され載置プレート３の外周縁部がはめ込まれるプレート保持用溝１６と、後端面１２ｂに形成された縦方向に長い長孔１７とを有している。固定用ねじ１３は、前記長孔１７に挿通され、前記支柱１１のねじ孔１４にねじ込まれることにより、クランプ部材１２を支柱１１に固定する。クランプ部材１２の支柱１１に対する取付高さは、長孔１７の範囲内で調整される。なお、貫通孔１５と長孔１７は、互いに連通している。
【００２４】
図２〜図４において、前記載置プレート３の上面には、縁摺り加工前の眼鏡レンズ（以下、レンズという）２０が載置される３つのレンズ受け１９と、前記レンズ保持用治具２１が配設されている。
【００２５】
レンズ２０は、凸側光学面２０ａと、凹側光学面２０ｂと、縁面２０ｃとを有する外径が、例えば６０ｍｍφ、６５ｍｍφ、７０ｍｍφ、７５ｍｍφ、８０ｍｍφのメニスカスレンズからなり、凸側の光学面２０ａを上にして前記レンズ受け１９上に載置されている。
【００２６】
前記レンズ受け１９は、小片のプレートからなり、載置プレート３の中心の周りに同心円上に位置するように周方向に等間隔おいて配設され、止めねじ２５によって載置プレート３にそれぞれ固定されている。レンズ受け１９としては、表面が滑らかで摩擦係数の小さい材料であればよい。
【００２７】
前記レンズ保持用治具２１は、前記環状体２２と、この環状体２２に周方向に等間隔おいて配設され、レンズ２０の縁面を保持する３つのレンズ保持手段４０と、各レンズ保持手段４０を前記環状体２２にそれぞれ固定する固定手段としての３つボルト４５とを備えている。
【００２８】
前記環状体２２は、レンズ２０の外径より十分に大きい内径（例えば、１１０ｍｍφ）と、前記載置プレート３の外径より小さい外径を有することにより、レンズ２０とレンズ受け１９の周囲を取り囲むリングからなり、上、下面にそれぞれ開口する３つの挿通孔２７およびねじ取付用孔２８（図２〜図４）と、内、外周面にそれぞれ開口する３つのロッド取付用孔２９（図６）が放射状に形成されている。３つの挿通孔２７は、環状体２２の周方向に等間隔おいて形成され、前記各支持ピン１１の上端部が貫通している。挿通孔２７の開口縁は、支持ピン１１の挿通を容易にするために皿もみ加工によりテーパ孔を形成している。ボルト取付用孔２８は、隣り合う２つの挿通孔２７、２７間にそれぞれ位置するように環状体２２の周方向に等間隔おいて形成されている。また、ボルト取付用孔２８は、環状体２２の半径方向に長い長孔に形成されている。ロッド取付用孔２９は、同じく隣り合う２つの挿通孔２７、２７間にそれぞれ位置するように環状体２２の周方向に等間隔おいて形成されることにより、前記ボルト取付用孔２８にそれぞれ連通している。ロッド取付用孔２９の底面には、キー溝３０が形成されている。
【００２９】
さらに、環状体２２の内周面には、スピンコーティング時の遠心力によりレンズの外周から飛散したコーティング溶液のレンズ方向への跳ね返りを防止する跳ね返り防止部３１が設けられている。この跳ね返り防止部３１は、レンズ表面から遠心力によって飛散したコーティング溶液が当たったとき、斜め下方または斜め上方もしくは斜め上方および下方で、かつ環状体２２の外側、言い換えればレンズ２０がある方向とは反対方向に反射させる斜面で構成されている。この場合、本実施の形態においては、環状体２２の内周面に断面形状がＶ字状の突状体を全周にわたって一体に突設し、その２つのテーパ面（斜面）３１ａ、３１ｂによって跳ね返り防止部３１を形成し、斜め上方および斜め下方に反射させるようにした例を示したが、これに限らず環状体２２の中心孔を上方に向かって拡径するテーパ孔または下方に向かって拡径するテーパ孔とし、そのテーパ面を跳ね返り防止部としてもよい。
【００３０】
前記レンズ保持手段４０は、前記レンズ２０の縁面２０ｃの３箇所を保持するもので、前記環状体２２の各ロッド取付用孔２９にそれぞれ進退自在に、かつ回転を防止されて配設されている。また、このレンズ保持手段４０は、水平な支持ロッド４１と、この支持ロッド４１の前端に中央部がこれと直交するように接続され支持ロッド４１の上方および下方に延在する押圧ロッド４２（図６）とで構成されることにより、側面視横向きのＴ字状に形成されている。支持ロッド４１は、円柱状に形成され、前記ロッド取付用孔２９を進退自在に貫通し、下面にはキー溝３０に摺動自在に嵌合するキー４４が取付けられ、これによって支持ロッド４１の回転を防止している。支持ロッド４１の上面中央には、前記ボルト４５がねじ込まれるねじ孔４６が形成されている。ボルト４５は、ボルト取付用孔２８より前記ねじ孔４６にねじ込まれている。
【００３１】
支持ロッド４１の後端部、すなわち環状体２２の外周側に突出する突出端部には、支持ロッド４１を環状体２２の径方向外方に付勢する付勢用ばね４７が装着されている。この付勢用ばね４７は、圧縮コイルばねからなり、一端が支持ロッド４１の後端に突設した鍔４８を圧接し、他端が環状体２２の外周を圧接するように装着されている。
【００３２】
前記押圧ロッド４２は、円柱状に形成され、長手方向中央部の背面側部位（レンズ側とは反対側の部位）が前記支持ロッド４１の前端に連結ピン５１によって連結されている。このため、押圧ロッド４２には、支持ロッド４１の前端部が嵌合する嵌合凹部５０が形成されている。連結ピン５１は、前端が嵌合凹部５０の垂直壁に形成した嵌合孔５３に嵌合され、後端が支持ロッド４１の前端面に形成した嵌合孔５４に嵌合されている。嵌合孔５３は、凹陥部５０の中心より上方に形成され、嵌合孔５４は、支持ロッド４１の中心より上方に変位して形成され、これによって押圧ロッド４２の支持ロッド４１に対する回転を防止している。
【００３３】
一方、押圧ロッド４２の前記嵌合凹部５０が形成されている部位とは反対側の部位、すなわちレンズと対向する前面側中央部は、レンズ２０の縁面２０ｃを押圧して保持するレンズ押圧部５５を形成している。このレンズ押圧部５５は、前記支持ロッド４１の軸線の延長上に位置し、キャップ５６を介してレンズ２０の縁面２０ｃを線接触または面接触状態で保持する。前記キャップ５６は、レンズ２０に傷が付かないように保護するためおよびレンズが確実に保持できるように、ゴム、合成樹脂等の軟質材によって形成され、押圧ロッド４２の外周を覆っている。
【００３４】
さらに、前記治具組付装置１は、全てのレンズ保持手段４０を同時に作動させることにより全ての押圧ロッド４２をレンズ２０の縁面２０ｃに同時に押し付ける押圧装置６０を備えている。この押圧装置６０は、各レンズ保持手段４０に対応して前記載置プレート３に周方向に等間隔おいて配設された３つの回動レバー６２と、これらの回動レバー６２に対応して前記ベースプレート２側に配設された３つのカムフォロア６３と、前記環状体２２を加圧し全てのレンズ保持手段４０を同時に作動させる加圧手段としての重錘６４（図１、図２）等で構成されている。
【００３５】
前記回動レバー６２は、載置プレート３の下方に取付板６６を介して配設した水平な回動軸６７によって下端部が垂直方向に回動自在に軸支されており、上端部が載置プレート３の上方で、かつ前記支持ロッド４１の後方に延在し、上端にはレンズの保持時に前記支持ロッド４１を押圧する押圧部材６８が取付けられている。押圧部材６８は、回動レバー６２の上端部に設けたねじ取付孔に螺合され、ナットによって固定されることにより、回動レバー６２からの突出寸法が調整可能とされている。また、押圧部材６８の前端面中央には、半球状の突子６８ａが一体に突設されている。
【００３６】
また、回動レバー６２は、前記回動軸６７に装着された復帰用ばね６９によって復帰方向、すなわち押圧部材６８が支持ロッド４１から離間する方向に付勢されていることにより、後方に所要角度傾斜し背面が前記カムフォロア６３に常時圧接している。復帰用ばね６９は、捩りコイルばねからなり、前記回転軸６７に装着され、一端が取付板６６に係止され、他端が回動レバー６２に係止されている。前記カムフォロア６３は、ベースプレート２上に固定されたブロック７０の一側に回転自在に取付けられている。前記押圧部材６８の突子６８ａには、前記支持ロッド４１の後端が前記付勢用ばね４７のばね力によって常時押し付けられている。
【００３７】
前記重錘６４は、前記環状体２２より大きな外径を有する円盤からなり、ぞれぞれ３つからなるピン用孔７１およびボルト用孔７２が前記各支持ピン４およびボルト４５に対応した位置に形成されている。これらのピン用孔７１およびボルト用孔７２は、重錘６４の上下方向に開口する貫通孔で構成されている。重錘６４は、レンズ保持手段４０によるレンズ２０の保持時に環状体２２上に載置されることにより、その重力によって全てのレンズ保持手段４０を同時に作動させる。すなわち、重錘６４は、環状体２２上に載置されることにより、その重力によって環状体２２を押圧する。このため、載置プレート３は、圧縮コイルばね７によるばね力に抗してクランプ部材１２の長孔１７の範囲内で下降する。このとき、予め固定用止めねじ１３は、緩めておく。載置プレート３が下降すると、回動レバー６２も載置プレート３と一体に下降する。このとき回動レバー６２は、背面がカムフォロア６３に沿って下降するため、回動軸６７を中心に図２において反時計方向に徐々に回動して起立し、押圧部材６８の突子６８ａが支持ロッド４１の後端面を付勢用ばね４７に抗して押圧する。このため、支持ロッド４１は、一定量前進して押圧ロッド４２をレンズ２０の縁面２０ｃに所定の押圧力で押し付け、これによってレンズ２０の縁面２０ｃの３箇所がレンズ保持手段４０によって保持される。このような重錘６４としては、レンズ保持手段４０による押圧力を調整するために、重さが異なる複数種の重錘が用意され、レンズ２０の中心肉厚、外径等に応じて選択使用される。
【００３８】
スピンコーティング装置によってレンズ２０の光学面２０ａ（または２０ｂ）にハードコート等のコーティング溶液を塗布する際には、先ずレンズ２０を治具組付装置１の載置プレート３上に載置する。また、固定用ねじ１３を緩めておき、重錘６４を環状体２２の上に載置して環状体２２および載置プレート３を圧縮コイルばね７に抗して下降させ、回動レバー６２を回動起立させる。回動レバー６２が前方に回動して起立すると、押圧部材６８の突子６８ａが支持ロッド４１の後端面を圧縮コイルばね４７に抗して押圧する。このため、支持ロッド４１は前進して押圧ロッド４２のレンズ押圧部５５をレンズ２０の縁面２０ｃに押し付ける。そして、固定用ねじ１３を締め付けてクランプ部材１２を支柱１１に固定し、重錘６４を環状体２２から取外し、この押圧状態でボルト４５を重錘６４の上方から締め付けて支持ロッド４１を環状体２２に固定する。しかる後、重錘６４が取り除かれた治具組付装置１から、レンズ２０を保持した状態の環状体２２を外し、スピンコーティング装置の回転軸にレンズ２０を保持したレンズ保持用治具２１を装着して回転軸を高速回転（例えば、３０００〜５０００ｒｐｍ）させ、コーティング溶液をレンズ２０の上になっている光学面２０ａに滴下し、遠心力で光学面２０ａ全体に均一な膜厚で塗布する。
【００３９】
光学面２０ａへのコーティング溶液の塗布が終了したら、レンズ２０を保持したレンズ保持用治具２１を回転軸から取り外す。そして、レンズ２０を保持したレンズ保持用治具２１を反転させてスピンコーティング装置の回転軸に装着し、上になっている光学面２０ｂへのコーティング溶液の塗布を上記と同様にして行なう。
【００４０】
このように上記した構造からなるレンズ保持用治具２１においては、押圧ロッド４２のレンズ押圧部５５を支持ロッド４１の軸線の延長上に設け、レンズ２０の縁面２０ｃに対して面接触状態またはレンズ２０の厚み方向に線接触状態で垂直に押し付けて保持するようにしているので、レンズ押圧部５５をレンズに押し付けたとき、押圧ロッド４２が支持ロッド４１に対して傾いたりすることがなく、レンズ２０の縁面２０ｃに均等な力を加えることができる。したがって、安定した状態で確実に保持することができ、スピンコートの高速回転（３０００〜５０００回転）にも十分に耐え得るレンズ把持性能を確保することができる。また、メッツ加工を施したレンズについても十分な保持力を得ることが可能である。また、押圧ロッド４２のレンズ押圧部５５がレンズ２０の光学面２０ａ、２０ｂに接触しないので、両光学面２０ａ、２０ｂに対してコーティング溶液を良好に塗布することができる。
【００４１】
また、押圧ロッド４２の表面を合成樹脂、ゴム等の軟質材からなるキャップ５６によって覆っているので、レンズ２０を傷つけるおそれがない。さらに、レンズ保持用治具２１の主構成部品である環状体２２の内径を外径が最も大きいレンズ２０よりも大きく設定しているので、レンズ保持手段４０をレンズの大きさに応じて進退させることにより、各種サイズのレンズに対して共通に使用することができる。
【００４２】
さらに、環状体２２の内周面に跳ね返り防止部３１を設けているので、遠心力によってレンズ２０の外周から飛散したコーティング溶液が跳ね返ってレンズ２０の光学面２０ａまたは２０ｂに付着するおそれがなく、不良品の発生を防止することができる。
【００４３】
なお、上記した実施の形態においては、レンズ２０の縁面２０ｃを３つのレンズ保持手段４０によって保持する例について説明したが、これに限らず３つ以上、例えば４つのレンズ保持手段によって保持するようにしてもよい。
また、上記した実施の形態においては、レンズ保持手段４０を側面視横向きのＴ字状に形成したが、これに限らず垂直な支持ロッド４１と、この支持ロッド４１の下端に連接された水平な押圧ロッド４２とで側面視Ｌ字状に形成されたものであってもよい。その場合は、押圧ロッド４２の下端で支持ロッド４１とは反対側がレンズ押圧部５５を形成する。
【産業上の利用可能性】
【００４４】
本発明に係るレンズ保持用治具は、眼鏡レンズに限らず種々のレンズ、例えばカメラ用レンズ等にも適用可能である。
【図面の簡単な説明】
【００４５】
【図１】本発明に係るレンズ保持用治具とその治具組付装置の一実施の形態を示す外観斜視図である。
【図２】図１のII−II線断面図である。
【図３】レンズを載置プレート上に載置した状態を示す外観斜視図である。
【図４】レンズ保持手段によってレンズを保持した状態を示す外観斜視図である。
【図５】治具組付装置のレンズ保持用治具を取り除いた状態を示す外観斜視図である。
【図６】レンズ保持手段の分解斜視図である。
【図７】（ａ）はクランプ装置のクランプ前の状態を示す断面図、（ｂ）はクランプ後の状態を示す断面図である。
【符号の説明】
【００４６】
１…治具組付装置、２…ベースプレート、３…載置プレート、４…支持ピン、７…圧縮コイルばね、１０…クランプ装置、２０…眼鏡レンズ、２１…レンズ保持用治具、２２…環状体、２９…挿通孔、３１…跳ね返り防止部、４０…レンズ保持手段、４１…支持ロッド、４２…押圧ロッド、４５…ボルト、５５…レンズ押圧部、５６…キャップ、６０…押圧装置、６２…回動レバー、６３…カムフォロア、６４…重錘、６８…押圧部材。
【図１】
2009294399.tif 000003
【図２】
2009294399.tif 000004
【図３】
2009294399.tif 000005
【図４】
2009294399.tif 000006
【図５】
2009294399.tif 000007
【図６】
2009294399.tif 000008
【図７】
2009294399.tif 000009